【手続補正書】
【提出日】平成24年12月3日(2012.12.3)
【手続補正１】
【補正対象書類名】特許請求の範囲
【補正対象項目名】全文
【補正方法】変更
【補正の内容】
【特許請求の範囲】
【請求項１】
データ処理装置によって、地図の地図スペースに対するリクエストを受信するステップと、
データ処理装置によって、および、前記リクエストによって指定された参照位置およびズームレベルパラメータに基づいて、前記地図スペースに利用可能なコンテンツアイテムスペースの数を決定するステップと、
データ処理装置によって、前記地図スペースに対するコンテンツアイテム入札を受信するステップと、
データ処理装置によって、前記リクエストによって指定されたズームレベルパラメータと一致する入札ズームレベルパラメータのそれぞれに基づき、コンテンツアイテム入札を選択するステップと、
データ処理装置によって、前記地図スペースに利用可能なコンテンツアイテムスペースの数において提示するためのコンテンツアイテムを識別したデータを選択するステップと、
データ処理装置によって、利用可能なコンテンツアイテムスペースの数において提示するために選択されたコンテンツアイテムを識別したデータを提供するステップと
を具備し、
前記リクエストは、参照位置および参照位置が地図スペースに提示されるズームレベルパラメータを指定し、
前記利用可能なコンテンツアイテムスペースのそれぞれは、コンテンツアイテムの提示に利用可能な地図スペースの一部であり、
前記コンテンツアイテム入札は、入札ズームレベルパラメータをそれぞれ含み、
前記コンテンツアイテムを識別したデータは、少なくとも部分的に、選択されたコンテンツアイテム入札の値に基づき選択されることを特徴とするコンピュータ実行方法。
【請求項２】
前記利用可能なコンテンツアイテムスペースの数を決定するステップは、道路スペースによって境界とされ、かつ、道路スペースにオーバーラップしないコンテンツアイテムスペースを識別するステップを含み、
前記道路スペースは、道路を表す地図スペースの一部であることを特徴とする請求項１に記載の方法。
【請求項３】
前記コンテンツアイテムスペースが、ズームレベルが増大されるのにつれて、前記地図スペースのより大きなサブセットを占有するように、ズームレベルおよびディスプレイ領域に従って前記利用可能なコンテンツアイテムスペースを調整するステップをさらに具備することを特徴とする請求項２に記載の方法。
【請求項４】
ズームレベル、参照位置、および地図スペースが提示されるディスプレイ領域に基づき、提示のための地図スペースを選択するステップをさらに含み、
前記地図スペースは、前記ディスプレイ領域、および、前記ズームレベルにおいて、参照位置を提示させるように選択されることを特徴とする請求項１に記載の方法。
【請求項５】
前記コンテンツアイテム入札は、参照位置への参照、ズームレベルの変化に比例して変動する値を有する少なくとも１つのコンテンツアイテム入札を含み、
前記コンテンツアイテム入札は、ズームレベルパラメータおよび参照位置に基づき選択され、
前記選択されたコンテンツアイテム入札は、少なくとも１つのコンテンツアイテム入札を含み、
前記少なくとも１つのコンテンツアイテム入札の値は、ズームレベルに基づき選択されることを特徴とする請求項４に記載の方法。
【請求項６】
コンテンツアイテム入札に対する前記ズームレベルパラメータは、閾入札ズームレベルを定義し、かつ、
閾入札ズームレベル未満である前記ズームレベルに基づき、コンテンツアイテム入札の選択を除外するステップをさらに具備することを特徴とする請求項１に記載の方法。
【請求項７】
コンテンツアイテム入札のうちの１又は複数が、ズームレベルの変化に比例して変動しない一定の入札を定義し、
前記一定の入札は、前記閾入札ズームレベル以上であるズームレベルに対して有効であり、
前記一定の入札は、前記閾入札ズームレベル未満であるズームレベルに対して無効であることを特徴とする請求項６に記載の方法。
【請求項８】
地図方向についてのユーザリクエストを受信するステップであって、前記地図方向は、前記地図上の開始位置および前記地図上の終了位置のうちの１又は複数を含む、ステップをさらに具備し、
前記１又は複数のコンテンツアイテムを選択するステップは、前記地図上の前記開始位置又は前記地図上の前記終了位置に関連する１又は複数のコンテンツアイテムを選択するステップを含むことを特徴とする請求項１に記載の方法。
【請求項９】
前記地図上の前記開始位置から前記地図上の前記終了位置までの方向を定義した経路データを受信するステップをさらに具備し、
前記１又は複数のコンテンツアイテムを選択するステップは、経路データに関連すると識別された１又は複数のコンテンツアイテムを選択するステップを含むことを特徴とする請求項８に記載の方法。
【請求項１０】
前記１又は複数のコンテンツアイテムを選択するステップは、
前記地図スペースの除外ゾーンを定義するステップと、
前記除外ゾーンから除外される除外コンテンツアイテムを識別するステップと、
前記除外ゾーンでの提示のために選択される前記１又は複数のコンテンツアイテムから、前記除外コンテンツアイテムを除外するステップと
を具備することを特徴とする請求項１に記載の方法。
【請求項１１】
地図を定義した地図データを格納する地図ストアを含むデータ記憶装置と、
前記地図ストアと通信する地図サーバと、
前記地図サーバと通信するコンテンツサーバと
を備え、
前記地図サーバは、１又は複数のプロセッサを含み、かつ、地図の地図スペースに対するリクエストを受信するように構成され、前記リクエストは、ズームレベルパラメータ、リクエストされた参照位置、および地図スペースがユーザデバイスで提示されるディスプレイ領域を指定し、
前記コンテンツサーバは、１又は複数のプロセッサを含み、かつ、
リクエストによって指定された参照位置およびズームレベルパラメータに基づいて、前記地図スペースに利用可能なコンテンツアイテムスペースの数を決定し、
前記地図スペースに対するコンテンツアイテム入札を受信し、
前記リクエストによって指定されたズームレベルパラメータと一致する入札ズームレベルパラメータのそれぞれに基づき、コンテンツアイテム入札を選択し、
前記地図スペースに利用可能なコンテンツアイテムスペースの数において提示するためのコンテンツアイテムを識別したデータを選択し、
利用可能なコンテンツアイテムスペースの数において提示するために選択されたコンテンツアイテムを識別したデータを提供する
ように構成され、
前記利用可能なコンテンツアイテムスペースのそれぞれは、コンテンツアイテムの提示に利用可能な地図スペースの一部であり、
前記コンテンツアイテム入札は、入札ズームレベルパラメータをそれぞれ含み、
前記コンテンツアイテムを識別したデータは、少なくとも部分的に、選択されたコンテンツアイテム入札の値に基づき選択されることを特徴とするシステム。
【請求項１２】
前記地図スペースは、道路を表す道路スペースを含み、前記コンテンツアイテムスペースのうちの少なくとも１つは、道路スペースによって境界とされ、かつ、道路スペースにオーバーラップしないことを特徴とする請求項１１に記載のシステム。
【請求項１３】
前記コンテンツアイテム入札は、地図スペースに含まれた地図の部分への参照をそれぞれ含み、少なくとも１つのコンテンツアイテム入札は、ズームレベルの変化に比例して変動する値を有し、かつ、
前記コンテンツサーバは、ズームレベル、および、前記地図スペースに含まれた地図の部分への参照に基づき、コンテンツアイテム入札を選択するようにさらに構成され、前記少なくとも１つのコンテンツアイテム入札の値は、リクエストされたズームレベルに基づき選択されることを特徴とする請求項１１に記載のシステム。
【請求項１４】
コンテンツアイテム入札に対する前記ズームレベルパラメータは、閾入札ズームレベルを定義し、かつ、
前記コンテンツサーバは、閾入札ズームレベル未満であるリクエストされたズームレベルに基づき、コンテンツアイテム入札の選択を除外することを特徴とする請求項１１に記載のシステム。
【請求項１５】
前記コンテンツサーバは、
地図方向についてのユーザリクエストに関連する開始位置データおよび終了位置データのうちの１又は複数を受信し、
開始位置データ又は終了位置データに基づきユーザの関心を決定し、かつ、
前記開始位置データ又は終了位置データに関連するコンテンツアイテムを選択する
ように構成されることを特徴とする請求項１１に記載のシステム。
【請求項１６】
前記コンテンツサーバは、
前記地図上の前記開始位置から前記地図上の前記終了位置までの方向を定義した経路データを受信し、
前記経路データに基づきユーザの関心を決定し、かつ、
経路データに関連するコンテンツアイテムを選択する
ように構成されることを特徴とする請求項１５に記載のシステム。
【請求項１７】
前記コンテンツサーバは、
前記地図スペースに１又は複数の除外ゾーンを定義し、かつ、
前記１又は複数の除外ゾーンでの提示から、除外コンテンツアイテムを除外する
ようにさらに構成されることを特徴とする請求項１１に記載のシステム。
【請求項１８】
データ処理装置によって、地図の地図スペースに対するリクエストを受信するステップであって、前記リクエストは、参照位置および参照位置が地図スペースに提示されるズームレベルパラメータを指定する、ステップと、
データ処理装置によって、および、リクエストによって指定された参照位置およびズームレベルパラメータに基づいて、前記地図スペースに利用可能なコンテンツアイテムスペースの数を決定するステップであって、前記利用可能なコンテンツアイテムスペースのそれぞれは、コンテンツアイテムの提示に利用可能な地図スペースの一部である、ステップと、
データ処理装置によって、前記地図スペースに対するコンテンツアイテム入札を受信するステップであって、前記コンテンツアイテム入札は、入札ズームレベルパラメータ、および、参照位置への参照を含み、少なくとも１つのコンテンツアイテム入札は、ズームレベルの変化に比例して変動する値を有する、ステップと、
データ処理装置によって、前記リクエストによって指定されたズームレベルパラメータと一致するズームレベルパラメータのそれぞれに基づき、かつ、前記リクエストによって指定された参照位置と一致する参照位置のそれぞれに基づき、コンテンツアイテム入札を選択するステップであって、前記選択されたコンテンツアイテム入札は、少なくとも１つのコンテンツアイテム入札を含み、前記少なくとも１つのコンテンツアイテム入札の値は、ズームレベルに基づき選択される、ステップと、
データ処理装置によって、前記地図スペースに利用可能なコンテンツアイテムスペースの数において提示するためのコンテンツアイテムを識別したデータを選択するステップであって、前記コンテンツアイテムは、少なくとも部分的に、選択されたコンテンツアイテム入札の値に基づき選択される、ステップと、
データ処理装置によって、利用可能なコンテンツアイテムスペースの数において提示するために選択されたコンテンツアイテムを識別したデータを提供するステップと
を具備するコンピュータ実行方法。